(57)【要約】      （修正有）【課題】二種類の異なるユニットをバッフル板に組み込むとともに、音の干渉を低減しクリアーな音質を再生できるようにした超広帯域再生可能なヘッドフォンを提供する。【解決手段】ハウジング１と、ハンガー２と、ダイナミック低音域ユニット３と、バッフル板５と、柔らかいイヤーパッド７とからなり、ハンガー２はハウジング１と繋がり、バッフル板５はハウジング１と組み合わせるとともに、ハウジング１とバッフル板５の間にパーティション４を設け、パーティション４にダイナミック低音域ユニット３を取り付け、バッフル板５に高音域フィルムリボンユニット６を装着する。そして、構造がシンプルで、異なる二つのユニットはハウジングの中で異なる仕切り板に装着され、それぞれの開放型音経路１１と低音域導通孔１２とによって、より低域再生が可能となる。【選択図】図３
0003174924.tif 000002
【実用新案登録請求の範囲】
【請求項１】
ハウジング（１）と、ハンガー（２）と、ダイナミック低音域ユニット（３）と、バッフル板（５）と、柔らかいイヤーパッド（７）とからなるヘッドフォンにおいて、
ハンガー（２）はハウジング（１）と繋がり、バッフル板（５）はハウジング（１）と組み合わせるとともに、ハウジング（１）とバッフル板（５）の間にパーティション（４）を設け、パーティション（４）にダイナミック低音域ユニット（３）を取り付け、バッフル板（５）に高音域フィルムリボンユニット（６）を装着してなることを特徴とするヘッドフォン。
【請求項２】
請求項１において、
バッフル板（５）には、音孔（９）を設置し、ハウジング（１）と、パーティション（４）と、音孔（９）とによって、開放型音経路（１１）を形成することを特徴とするヘッドフォン。
【請求項３】
請求項２において、
バッフル板（５）表面には、低音域音道孔（８）を設置し、バッフル板（５）と、低音域音道孔（８）と、パーティション（４）との間に低音域導通孔（１２）を形成し、低音域を再生可能としたことを特徴とするヘッドフォン。
【考案の詳細な説明】
【技術分野】
【０００１】
本考案はヘッドフォンの構造に係り、具体的には超軽量フィルムリボンユニットと低音用音道孔（又は低音域導通孔）を採用する超広帯域再生可能なヘッドフォンに関する。
【背景技術】
【０００２】
フィルムリボンユニットの振動板は非常に薄く、細い金属線がフィルムシート上に配置されている。音声電流は金属線に流れて、マグネットの磁力線と交差している部分を振動させて音を発生する。この振動板は非常に軽量で応答特性がよく、超高域まで再生可能である。
【０００３】
今までのヘッドフォンのダイナミックユニットの基本的な原理はフレミングの左手法則から電流が銅線を通し、磁力線を直角に流れる場合、銅線は磁力線と電流の相互作用で振動する。そこに振動板を付けると電流の変化によって振動板は前後に振動する。今までのコーン型単体ユニットはこのようなダイナミック式である。
【０００４】
図６と図７は公知のヘッドフォンの構造を示すものであり、これは、ハウジング（１）、ハンガー（２）、ダイナミック低音域ユニット（３）、バッフル板（５）、柔らかいイヤーパッド（７）、音孔（１０）からなる。ハンガー（２）はハウジング（１）と繋がっており、バッフル板（５）はハウジング（１）の上に取り付けられ、ダイナミック低音域ユニット（３）はバッフル板（５）に取り付けられ、バッフル板（５）の外に柔らかいイヤーパッド（７）で被せ、バッフル板（５）の表面に音孔（１０）が設置されている。ハウジングの中は単独のダイナミックユニットで、若干の低音域を再生する場合は、ある程度の中高音域が相対的に減衰してしまう。この箇所にもう一つダイナミックユニットを追加すると、二つのダイナミックユニットはバッフル板上で互いに干渉し、歪音が出てしまうという問題があった。
【先行技術文献】
【特許文献】
【０００５】
【特許文献１】なし
【考案の概要】
【考案が解決しようとする課題】
【０００６】
そこで、本考案が解決しようとする課題は、二種類の異なるユニットをバッフル板に組み込むとともに、音の干渉を低減しクリアーな音質を再生できる超広帯域再生可能なヘッドフォンを提供することにある。
【課題を解決するための手段】
【０００７】
上記課題を解決するために、本考案は、ハウジング、ハンガー、ダイナミック低音域ユニット、バッフル板、柔らかいイヤーパッドで構成される。ハンガーはハウジングと繋がり、バッフル板はハウジングの上に取り付けられ、ハウジングとバッフル板の間にパーティションがあり、ダイナミック低音域ユニットはパーティションで仕切られ、バッフル板の上に高音域フィルムリボンユニットを配置する。バッフル板の底部に適度な音孔をあけ、ハウジング、パーティション、音孔の間に音経路を形成する。バッフル板に適度な低音域音道孔が配置され、バッフル板、低音域音道孔、パーティションの間に低音域導通孔が形成される。
【考案の効果】
【０００８】
本考案はヘッドフォンのバッフル板の組み合わせで、ダイナミック低音ユニットと平面リボンユニットをバッフル板に最適位置に配置することにより、超高低音域の再生が可能になり、非常に原音に近い音を表現し干渉雑音も出ないという効果を奏する。
【図面の簡単な説明】
【０００９】
【図１】本考案の高低音域ヘッドフォンの立体構造図である。
【図２】本考案の分解構造図である。
【図３】本考案の断面図である。
【図４】本考案の高低音域ヘッドフォンの部分解構造図である。
【図５】本考案の高低音域ヘッドフォンのバッフル板の裏側音孔図である。
【図６】公知のヘッドフォンの構造図である。
【図７】図６の断面図である。
【考案を実施するための形態】
【００１０】
以下、本考案の実施形態を図に基づいて説明する。
【００１１】
本考案は、図１と図２に示すように、ハウジング（１）、ハンガー（２）、ダイナミック低音域ユニット（３）、バッフル板（５）、柔らかいイヤーパッド（７）で構成され、ハンガー（２）はハウジング（１）)と繋がり、バッフル板（５）はハウジング（１）の上に取り付けられ、ハウジング（１）とバッフル板（５）の間にパーティション（４）があって、ダイナミック低音域ユニット（３）はパーティション（４）に装着され、バッフル板（５）上に高音域フィルムリボンユニット（６）を配置する。
【００１２】
図３と図５に示すように、バッフル板（５）に若干の音孔（９）を開け、ハウジング（１）、パーティション（４）、音孔（９）の間に開放型音経路（１１）を形成する。バッフル板（５）の表面に適度な低音域音道孔（８）を開け、バッフル板（５）、低音域音道孔（８）、パーティション（４）の間に低音域導通孔（１２）が形成される。
【００１３】
高音域フィルムリボンユニット（６）は、図４に示すように、上下、左右側に適度な低音域音道孔（８）を開いたバッフル板（５）に取り付けられる。
【００１４】
以上の説明は本考案の実施例で、この実施例に対して若干の変更は、本考案の請求範囲に属するものとする。
【符号の説明】
【００１５】
１      ハウジング
２      ハンガー
３      ダイナミック低音域ユニット
４      パーティション
５      バッフル板
６      高音域フィルムリボンユニット
７      柔らかいイヤーパッド
８      低音域音道孔
９      音孔
１０    音孔
１１    開放型音経路
１２    低音域導通孔
【図１】
0003174924.tif 000003
【図２】
0003174924.tif 000004
【図３】
0003174924.tif 000005
【図４】
0003174924.tif 000006
【図５】
0003174924.tif 000007
【図６】
0003174924.tif 000008
【図７】
0003174924.tif 000009